(57)【要約】【構成】複数の種類の画像及び画像の縮小画像を保持し、保持されている複数の種類の画像を判別し、判別結果に従って画像の縮小画像に所定の処理を施し第二の縮小画像を生成し、特定の種類の画像に関して縮小画像と所定の処理を施した第二の縮小画像を交互に表示させることを特徴とする。特に例えば、複数の種類の画像を静止画像および動画像とする。【効果】従って、縮小した画像を表示する際に、特定の種類の判別が使用者にとって容易になる。【選択図】図４
2006287497.tif 000002
【特許請求の範囲】
【請求項１】
複数の種類の画像及び該画像の縮小画像を保持する保持手段と、
前記画像の種類を判別する判別手段と、
該判別手段による判別結果に従って前記画像の縮小画像に所定の処理を施し、第二縮小画像を生成する処理手段と、
特定の種類の画像に関して縮小した画像を表示する際に、前記縮小画像と前記第二縮小画像を交互に表示する縮小画像表示手段とを備える、表示装置。
【請求項２】
前記所定の処理は前記縮小画像の中心を拡大する処理である、請求項１記載の表示装置。
【請求項３】
前記複数の種類の画像は静止画および動画を含む、請求項１〜２記載の表示装置。
【請求項４】
複数の種類の画像及び該画像の縮小画像を保持するステップと、
前記画像の種類を判別するステップと、
該判別手段による判別結果に従って前記画像の縮小画像に所定の処理を施し、第二縮小画像を生成するステップと、
特定の種類の画像に関して縮小した画像を表示する際に、前記縮小画像と前記第二縮小画像を交互に表示するステップとを有する、表示方法。
【請求項５】
前記所定の処理は前記縮小画像の中心を拡大する処理である、請求項４記載の表示方法。
【請求項６】
前記複数の種類の画像は静止画および動画を含む、請求項４〜５記載の表示方法。
【発明の詳細な説明】
【技術分野】
【０００１】
本発明は、表示装置に関し、特に例えば静止画像および動画像の縮小画を表示する、表示装置に関する。
【背景技術】
【０００２】
近年、ディジタルカメラやカメラ付き携帯電話等においては、扱えるファイルの種類が増えつつあり、特に静止画像および動画像を記録する機器は多数存在している。
【０００３】
記録した静止画像ファイルおよび動画像ファイルのサムネイルを表示器において表示させる場合、ここで静止画像ファイルと動画像ファイルが混在している場合に、静止画像ファイルのサムネイルと動画像ファイルのサムネイルを区別できる表示をしなければ、使用者は複数あるサムネイルの中で静止画像ファイルと動画像ファイルを区別することができない。
【０００４】
静止画像ファイルおよび動画像ファイルが混在している複数のサムネイルを表示する画像取り扱い装置の一例が特許文献１に開示されている。この従来技術１では、静止画像および動画像が混在している複数のサムネイルを表示する際に、動画像のサムネイルにマークやアイコンを付して静止画像のサムネイルと区別している。
【特許文献１】特開２０００−１３８８８３号公報
【発明の開示】
【発明が解決しようとする課題】
【０００５】
しかしながら、従来技術１においては、動画像のサムネイル画像に付されているマークやアイコンは小さく、使用者はそのマークやアイコンを見落とす可能性がある。また、動画像のサムネイルが複雑なものであればマークやアイコンがサムネイルの一部だと錯覚し、見落としてしまう可能性もある。
【０００６】
本発明は、上記の問題点を解決するもので、特に例えば、静止画像ファイルおよび動画像ファイルの混在したサムネイル表示をわかりやすく簡単な構成で表現する、表示装置および表示方法を提供することである。
【課題を解決するための手段】
【０００７】
第一の発明の表示装置は、複数の種類の画像及び該画像の縮小画像を保持する保持手段（４０）と、画像の種類を判別する判別手段（Ｓ１）と、判別手段による判別結果に従って画像の縮小画像に所定の処理を施し、第二縮小画像を生成する処理手段（Ｓ１１〜Ｓ１５）と、特定の種類の画像に関してその縮小した画像を表示する際に、前記縮小画像と第二縮小画像を交互に表示する縮小画像表示手段（Ｓ２１〜Ｓ３３）とを備えることを特徴とする。
【０００８】
従って、特定の種類の画像の縮小画像を表示する際に縮小画像と所定の処理を施した縮小画像が交互に表示されるため、使用者にとって特定の種類の画像の縮小表示が分かりやすくなる。
【０００９】
第二の発明は、第一の発明の表示装置において所定の処理は縮小画像の中心を拡大する処理であることを特徴とする。
【００１０】
第三の発明は、第一の発明ないし第二の発明のいずれかの表示装置において、複数の種類の画像は静止画および動画を含むことを特徴とする。
【００１１】
第四の発明の表示方法は、複数の種類の画像及び該画像の縮小画像を保持するステップと、画像の種類を判別するステップと、判別手段による判別結果に従って画像の縮小画像に所定の処理を施し、第二縮小画像を生成するステップと、特定の種類の画像に関してその縮小した画像を表示する際に、前記縮小画像と第二縮小画像を交互に表示するステップとを有することを特徴とする。
【００１２】
第五の発明は、第四の発明の表示方法において所定の処理は縮小画像の中心を拡大する処理であることを特徴とする。
【００１３】
第六の発明は、第四の発明ないし第五の発明のいずれかの表示方法において、複数の種類の画像は静止画および動画を含むことを特徴とする。
【発明の効果】
【００１４】
この発明によれば、縮小した画像を表示する際に、特定の種類の判別が使用者に容易となる。特に例えば静止画像および動画像混在のサムネイル表示を分かりやすく表示することができる。また、所定の処理においては、縮小画像の中心を拡大するという簡単な構成で縮小画像を表現することができる。
【発明を実施するための最良の形態】
【００１５】
本実施例においては、表示装置の一つの例として撮像装置１０の形態を説明する。本実施例における撮像装置１０のブロック図を図１に示す。本実施例の撮像装置１０は、撮像レンズ１２、絞り１４、ＣＣＤイメージャ１６、ＣＤＳ（Ｃｏｒｒｅｌａｔｅｄ  Ｄｏｕｂｌｅ  Ｓａｍｐｌｉｎｇ、相関二重サンプリング）／ＡＧＣ（Ａｕｔｏ  Ｇａｉｎ  Ｃｏｎｔｏｒｏｌ、自動利得制御）回路１８、Ａ／Ｄ変換回路２０、信号処理回路２２、ＳＤＲＡＭ２４、ＣＰＵ２６、ＣＣＤ駆動部２８、操作部３２、モータ駆動部３４、画像圧縮・伸張処理部３６、電子ズーム処理部３７、カード制御部３８、外部メモリカード４０、Ｄ／Ａ変換回路４２、ビデオエンコーダ４４、表示器４６とを備えて構成されている。
【００１６】
撮像レンズ１２は、被写体の光学像を撮像デバイスであるＣＣＤイメージャ１６の撮像面上に結像させる。また、撮像レンズ１２はＣＣＤイメージャ１６の出力信号に基づいて光軸方向の移動を調節される。絞り１４は、制御されることにより撮像レンズ１２よりＣＣＤイメージャ１６に入る光を調節する。これらの撮像レンズ１２および絞り１４の調節はモータ駆動部３４によって行われる。ただし、このモータ駆動部３４は、撮像レンズ１２および絞り１４を別々に調節する図示しない２つのモータで構成されている。 
【００１７】
撮像レンズ１２によってＣＣＤイメージャ１６の撮像面に被写体の光学像が結像されると、ＣＣＤイメージャ１６を構成する一部分である各フォトダイオードでは光電変換が行われる。ＣＣＤイメージャ１６は光の強さと時間に応じて蓄積された電荷の信号を、ＣＣＤ駆動部２８によって作られたＣＣＤイメージャ１６の駆動に必要な各種のパルス波形に従ってアナログ撮像信号で出力する。
【００１８】
ＣＤＳ／ＡＧＣ回路１８はＣＣＤイメージャ１６から出力された信号のアナログ撮像信号のノイズを軽減し、アナログ撮像信号のレベルを自動調節する。
【００１９】
Ａ／Ｄ変換回路２０では、ＣＤＳ／ＡＧＣ回路１８より出力されたアナログ撮像信号をディジタル画像データに変換する。
【００２０】
信号処理回路２２では、Ａ／Ｄ変換回路２０によるディジタル画像データを基に、色分離を行い３つの色信号であるＲ、Ｇ、Ｂ信号を作成する。そして、３つの色信号に対して色温度検出を行い色温度制御によってそれぞれに対して利得調整が行われる。次にこれらを輝度信号であるＹ信号、２つの色差信号であるＵ、Ｖ信号に変換するための処理を施す。
【００２１】
ＣＰＵ２６は、タイマ２６Ａおよびタイマ２６Ｂを備え、信号処理回路２２、ＳＤＲＡＭ２４、ＣＣＤ駆動部２８、操作部３２、モータ駆動部３４、画像圧縮・伸張処理部３６およびカード制御部３８に接続されている。ＣＰＵ２６は、図示しない内部メモリに格納されているプログラムに従って、信号処理回路２２、ＳＤＲＡＭ２４、ＣＣＤ駆動部２８、モータ駆動部３４、画像圧縮・伸張処理部３６、電子ズーム処理部３７、カード制御部３８の制御を行う。
【００２２】
図２に示すように、操作部３２として、本実施例においては静止画撮像モードキー３２Ａ、動画撮像モードキー３２Ｂ、再生モードキー３２Ｃ、カーソルキー３２Ｄ、決定キー３２Ｅ、レリーズキー３２Ｆおよびサムネイル表示キー３２Ｇを備えている。撮像装置１０では、使用者がレリーズキー３２Ｆを操作することにより、レリーズ動作が行われ、静止画撮像モードキー３２Ａ、動画撮像モードキー３２Ｂ、再生モードキー３２Ｃおよびサムネイル表示キー３２Ｇを操作することにより静止画撮像モード、動画撮像モード、再生モードおよびサムネイル表示モードのモード切替を行うことが出来る。カーソルキー３２Ｄは表示器４６に表示された選択項目をカーソルで使用者にとって所望の項目を選択し、決定キー３２Ｅにおいて設定ができる。また、カーソルキー３２Ｄは、サムネイル表示モードにおいて操作されることにより次のサムネイル表示を行う。
【００２３】
ＣＰＵ２６は、静止画撮像モードキー３２Ａが操作されることによって静止画撮像モードの状態にあるとき、レリーズキー３２Ｆを押下されることによって静止画撮像操作がなされると、１フレーム分の被写体の光学像が撮像レンズ１２、絞り１４、ＣＣＤイメージャ１６、ＣＤＳ／ＡＧＣ回路１８、Ａ／Ｄ変換回路２０、信号処理回路２２によって上述の処理がなされ、信号処理回路２２によって得られたＹ、Ｕ、Ｖ信号であるディジタル画像データをＳＤＲＡＭ２４に一旦格納する。
【００２４】
そして、一旦格納された１フレーム分のディジタル画像データは画像圧縮・信号処理部３６、静止画像の場合はＪＰＥＧコーデックによって、ＪＰＥＧで圧縮される。圧縮された圧縮ディジタル画像データは再びＳＤＲＡＭ２４に格納される。
【００２５】
また、一旦格納された１フレーム分のディジタル画像データからサムネイルデータを生成し、ＳＤＲＡＭ２４に格納され、画像圧縮・伸張処理部３６にて、サムネイルの場合はＪＰＥＧコーデックによってＪＰＥＧ圧縮され、圧縮された圧縮サムネイルデータは、再びＳＤＲＡＭ２４に格納される。
【００２６】
そして、圧縮ディジタル画像データおよび圧縮サムネイルデータは、１つの静止画像ファイルとしてカード制御部３８を制御することによって外部メモリカード４０に記録される。
【００２７】
動画撮像モードキー３２Ｂが操作されることによって動画撮像モードの状態にあるとき、レリーズキー３２Ｆを押下されることによって動画撮像操作がなされ、レリーズキー３２Ｆが再び押下され動画撮像が終了するまで、動画像処理が実行される。この動画像処理は例えば１秒間に３０フレーム分の静止画撮像処理を連続的に行うのと同様の処理であり、Ｙ、Ｕ、Ｖ信号であるディジタル画像データを動画撮像時間分だけＳＤＲＡＭ２４に一旦格納するまでの処理を行う。
【００２８】
そして動画像撮像終了の操作がなされると、ＳＤＲＡＭ２４に格納されている連続した複数のディジタル画像データの中から時系列順に１フレーム毎の輝度値検出を行う。つまり、輝度信号Ｙの高周波成分を検出し、１フレーム期間積分を行い輝度値としてＳＤＲＡＭ２４に時系列順に記録する。また、ＳＤＲＡＭ２４に格納されている連続した複数のディジタル画像データを画像圧縮・伸張処理部３６にて、動画像の場合にはＭｏｔｉｏｎＪＰＥＧコーデックによって動画圧縮をし、再びＳＤＲＡＭ２４に格納する。
【００２９】
そしてＳＤＲＡＭ２４に記録されている複数ディジタル画像データの輝度値を時系列順に従って比較し、輝度値の変化が大きい前後２フレームを決定し、該当する前後２フレームの中から後の１フレーム分のディジタル画像データを検出し、サムネイルデータを生成する。そして、サムネイルデータはＳＤＲＡＭ２４に格納され、画像圧縮・信号処理部３６にて、サムネイルの場合はＪＰＥＧコーデックによってＪＰＥＧ圧縮され、圧縮された圧縮サムネイルデータは、再びＳＤＲＡＭ２４に格納される。上述の処理を行う理由としては、例えば、使用者が動画像撮像を開始した際の対象が、白い壁等の複雑度が少ない被写体であり撮像途中で人間等の白い壁等に比べて複雑度の高い被写体を撮像する場合に、本実施例の形態では、白い壁のサムネイルではなく人間のサムネイルを生成することが望ましいからである。
【００３０】
そして、圧縮された連続した複数の圧縮画像データおよび圧縮サムネイルデータは、１つの動画ファイルとしてカード制御部３８を制御されることによって外部メモリカード４０に記録される。なお、動画像ファイルは静止画像ファイルと識別可能にファイルの拡張子等が異なっている。
【００３１】
再生モードキー３２Ｃが操作されることによって、ＣＰＵ２６は、外部メモリカード４０に記録された静止画像ファイルおよび動画像ファイルを表示器４６に再生表示することができる。具体的に、静止画像ファイルを再生する場合、ＣＰＵ２６は、カード制御部３８を制御して、外部メモリカード４０に記録されている静止画像ファイルの圧縮画像データをＳＤＲＡＭ２４に一旦格納する。ＳＤＲＡＭ２４に格納された圧縮画像データは、画像圧縮・伸張処理部３６にて、静止画像ファイルの場合にはＪＰＥＧコーデックにより伸張処理される。伸張処理されたディジタル画像データは、ＳＤＲＡＭ２４に一旦格納され、Ｄ／Ａ変換回路４２によりアナログ画像信号に変換される。ビデオエンコーダ４４は、Ｄ／Ａ変換回路４２からのアナログ画像データを基にＮＴＳＣ信号に変換し、表示器４６において変換されたＮＴＳＣ信号を表示する。
【００３２】
動画像ファイルを再生する場合は、ＣＰＵ２６は、カード制御部３８を制御して、外部メモリカード４０に記録されている動画像ファイルの複数の圧縮画像データをＳＤＲＡＭ２４に一旦格納する。ＳＤＲＡＭ２４に格納された複数の圧縮画像データは、画像圧縮・伸張処理部３６にて、動画像ファイルの場合にはＭｏｔｉｏｎＪＰＥＧコーデックにより伸張処理される。伸張処理された複数のディジタル画像データは、ＳＤＲＡＭ２４に一旦格納され、時系列にＤ／Ａ変換回路４２によりアナログ画像信号に変換され、ビデオエンコーダ４４は、Ｄ／Ａ変換回路４２からのアナログ画像データを基にＮＴＳＣ信号に変換し、表示器４６において変換されたＮＴＳＣ信号を順次表示する。
【００３３】
サムネイル表示キー３２Ｇが操作されると、外部メモリカード４０に記録されている静止画像ファイルおよび動画像ファイルのサムネイル表示画像を、例えば図３に示す９個のサムネイル表示画像の表示を行う。９個のサムネイル表示画像はサムネイル３００〜３１６で構成される。図３に示す９個のサムネイル表示画像データはＳＤＲＡＭ２４に一部である図８に示すバッファ２００に格納され、Ｄ／Ａ変換回路４２によりアナログ画像信号に変換され、ビデオエンコーダ４４は、Ｄ／Ａ変換回路４２からのアナログ画像データを基にＮＴＳＣ信号に変換し表示器４６に表示する。
【００３４】
また、電子ズーム処理部３７は、ＣＰＵ２６により命令があると、ＳＤＲＡＭ２６に格納されているディジタル画像データおよびサムネイルデータの拡大処理を行い、再びＳＤＲＡＭ２４に処理されたディジタル画像データおよびサムネイルデータを格納するよう制御される。
【００３５】
図４（Ａ）、（Ｂ）は表示器４６における、静止画像ファイルおよび動画像ファイルが混在した９個のサムネイル表示画像を示している。図４（Ａ）に示すサムネイル表示画像１１０Ａは、静止画像ファイルのサムネイル１００Ａおよび動画像ファイルのサムネイル１０２Ａを含んでいる。また、図４（Ｂ）に示すサムネイル表示画像１１０Ｂは、サムネイル表示画面１１０Ａが表示されてから０．５秒後に表示器４６にサムネイル表示画像１１０Ａに代わって表示されるサムネイル表示画像であり、静止画像ファイルのサムネイル１００Ｂおよび動画像ファイルのサムネイル１０２Ｂを含んでいる。図５（Ａ）、（Ｂ）に示すように、サムネイル１０２Ｂは電子ズーム処理部３７によってサムネイル１０２Ａの中心を拡大処理されたサムネイル１０２Ａの拡大サムネイルである。
【００３６】
そして、図４（Ａ）に示すサムネイル表示画像１１０Ａはサムネイル表示画像１１０Ｂが表示されてから０．５秒後に表示器４６に表示され、他の操作が行われるまで、例えば静止画撮像モードキー３２Ａが押圧される等の操作が行われるまでサムネイル表示画像１１０Ａおよびサムネイル表示画像１１０Ｂの表示を０．５秒毎に繰り返す。図８はＳＤＲＡＭ２４の一部であるフレームバッファ２００、詳しくはフレームバッファ２００Ａおよびフレームバッファ２００Ｂを示している。フレームバッファ２００Ａにはサムネイル表示画像１１０Ａを格納しており、フレームバッファ２００Ｂにはサムネイル表示画像１１０Ｂを格納してある。つまりこの場合、フレームバッファ２００Ａに格納されているサムネイル表示画像１１０Ａおよびフレームバッファ２００Ｂに格納されているサムネイル表示画像１１０Ｂを０．５秒毎に切替えて表示器４６に表示している。
【００３７】
図６、７では、表示器４６における９個のサムネイル表示のフローを示している。この場合、静止画像ファイルおよび動画像ファイルは外部メモリカード４０に格納されており、ファイル数は９個以上である場合を説明する。サムネイル表示キー３２Ｇの操作がなされるとＣＰＵ２６は、図６、７に示すサムネイル表示のフローを実行する。
【００３８】
図６、７を参照して、ステップＳ１では、サムネイル表示を行うファイルの識別を行う。ステップＳ３では、サムネイル表示を行うファイルが動画像ファイルであるか否かを判断する。
【００３９】
サムネイル表示を行うファイルが静止画像ファイルである場合、ステップＳ３からステップＳ５へ進み、静止画像ファイルのサムネイルの検出を行う。そしてステップＳ７へ進み、ステップＳ７ではステップＳ５において検出したサムネイルをフレームバッファ２００Ａに格納する。例えば、表示器４６に表示する図３に示すサムネイル表示画像のサムネイル３００の位置となるようサムネイルを格納する。そしてステップＳ９へ進み、サムネイルの複製をフレームバッファ２００Ｂに格納する。この場合、ステップＳ７においてフレームバッファ２００Ａに格納したサムネイルと、同じ位置になるように格納する。つまり、ステップＳ７にて図３に示すサムネイル３００の位置に表示されるよう格納した場合、ステップＳ９においても図３に示すサムネイル３００の位置へなるようにフレームバッファ２００Ｂに格納し、ステップＳ１９へ進む。
【００４０】
サムネイル表示を行うファイルが動画像ファイルである場合、ステップＳ３からステップＳ１１へ進み、動画像ファイルのサムネイルの検出を行う。そしてステップＳ１３へ進み、ステップＳ１３では、ステップＳ１１において検出したサムネイルをフレームバッファ２００Ａに格納する。例えば表示器４６に図３に示すサムネイル表示画面のサムネイル３０２の位置となるよう格納する。そしてステップＳ１５へ進み、ステップＳ１１において検出したサムネイルを電子ズーム処理部３７に対して中心部の拡大処理の実行をさせる。図５を参照して、検出したサムネイルがサムネイル１０２Ａである場合、電子ブーム処理部３７による拡大処理されたサムネイル１０２Ｂに示す中心部が拡大されたサムネイルになる。
【００４１】
そしてステップＳ１７へ進み、拡大処理されたサムネイルをフレームバッファ２００Ｂに格納する。この場合、図３に示すサムネイル３０２の位置となるように格納する。そしてステップＳ１９へ進む。
【００４２】
ステップＳ１９では、フレームバッファ２００Ａおよび２００Ｂそれぞれにサムネイルが９個格納されたか否かを判断する。サムネイルが９個格納されていないと判断すると、ステップＳ３へ戻り、上述の処理を行う。サムネイルの格納の場所に関しては、好ましくは時系列にサムネイル３００〜３１６の位置へ格納される。
【００４３】
ステップＳ１９において、サムネイルが９個格納されたと判断されると、ステップＳ１９からステップＳ２１へ進み、フレームバッファ２００Ａおよび２００Ｂに格納されている９個のサムネイルから、それぞれ１枚のサムネイル表示画像、例えばサムネイル表示画像１１０Ａおよび１０１Ｂを作成し、フレームバッファ２００Ａおよび２００Ｂにそれぞれ保持される。
【００４４】
次にステップＳ２３へ進み、ステップＳ２３ではフレームバッファ２００Ａに保持されているサムネイル表示画像１１０Ａを表示器４６に表示し、タイマ２６Ａをスタートさせ、タイマ２６Ｂのリセットを行う。次にステップＳ２５へ進み、ステップＳ２５では、他の操作があったか否かを判断する。この他の操作とは、静止画撮像モードキー３２Ａの押下操作やカーソルキー３２Ｄによる、次の９個のサムネイル表示操作を含む。
【００４５】
ステップＳ２５において、他の操作があると判断した場合はステップＳ３５へ進み、他の操作がない判断した場合はステップＳ２７へ進む。ステップＳ２７では、タイマ２６Ａがスタートしてから０．５秒経過したか否かを判断する。０．５秒経過していない場合は、ステップＳ２５へ戻り、０．５秒経過したと判断するまでサムネイル表示画像１１０Ａを表示器４６に表示し続ける。
【００４６】
ステップＳ２７において、タイマ２６Ａがスタートしてから０．５秒経過したと判断した場合、ステップＳ２９へ進み、フレームバッファ２００Ｂに保持されているサムネイル表示画像１１０Ｂを表示させ、タイマ２６Ｂをスタートさせ、タイマ２６Ａのリセットを行う。
【００４７】
次にステップＳ３１へ進み、ステップＳ２５と同様に他の操作があったか否かを判断する。他の操作があると判断した場合はステップＳ３７へ進み、他の操作がないと判断した場合はステップＳ３３へ進む。ステップＳ３３では、タイマ２６Ｂがスタートしてから０．５秒経過したか否かを判断し、０．５秒経過していない場合はステップＳ３１へ戻り、０．５秒経過したと判断するまでサムネイル表示画像１１０Ｂを表示器４６に表示し続ける。ステップＳ３３において、タイマ２６Ｂがスタートしてから０．５秒経過したと判断した場合、ステップＳ２３へ戻り、上述の処理を行う。
【００４８】
ステップＳ２５において他の操作があると判断した場合において、ステップＳ３５では、カーソルキー３２Ｄによる次のサムネイル表示操作であるか否かを判断する。次のサムネイル表示操作があると判断した場合、ステップＳ３５からステップＳ１へ戻る。次のサムネイル表示操作でないと判断した場合、ステップＳ３９へ進みサムネイル表示画像１１０Ａの表示を終了する。
【００４９】
ステップＳ３１において他の操作があると判断した場合において、同様に次のサムネイル表示操作であるか否かを判断し、次のサムネイル表示操作があると判断した場合、ステップＳ３７からステップＳ１へ戻る。次のサムネイル表示操作でないと判断した場合、ステップＳ３９へ進みサムネイル表示画像１１０Ｂの表示を終了する。
【００５０】
このように、本実施例による撮像装置１０では、静止画像ファイルと動画像ファイルが混在したサムネイル表示を行う場合において、静止画像ファイルではサムネイルの表示を行うのに対し、動画像ファイルではサムネイルの表示および拡大サムネイルの表示を交互に繰り返し行い、動画像ファイルに動きがあるように見えるため、使用者はファイルの種類を簡単に理解することができる。
【００５１】
また、動画像ファイルのサムネイル表示おいて、１枚のサムネイルから拡大サムネイルを別途生成しているため、サムネイルデータの容量を小さいまま動きのあるサムネイルを表示することができる。
【００５２】
なお、前記実施例では、サムネイル表示画像を２枚用意し、１枚は静止画像ファイルおよび動画像ファイルの標準のサムネイルで構成されたサムネイル表示画像であり、もう１枚は静止画像ファイルの標準のサムネイルと、動画像ファイルのみ標準のサムネイルの代わりに標準のサムネイルの中央を拡大した拡大サムネイルとで構成されるサムネイル表示画像を交互に繰り返し表示を行っているが、動画像ファイルのサムネイル表示のみを標準のサムネイルおよび拡大サムネイルの交互表示をさせても良い。
【００５３】
また、前記実施例では、交互表示させるサムネイル表示画像の１枚を静止画像ファイルの標準のサムネイルと、動画像ファイルのみ標準のサムネイルの代わりに標準のサムネイルの中央を拡大した拡大サムネイルとで構成されるサムネイル表示画像としているが、標準のサムネイルの中央を拡大した拡大サムネイルの変わりに標準のサムネイルから被写体を背景と区別するように検出し、検出した被写体に対して拡大処理を行い、拡大処理された被写体を該背景と合成した被写体拡大サムネイルを使用してもよい。
【００５４】
また、前記実施例では、ファイルの種類として静止画像ファイルおよび動画像ファイルにおけるサムネイル表示の例を説明したが、音声無し静止画像ファイルと音声付静止画像ファイルをサムネイル表示画像に含む場合、前記実施例に示す動画像ファイルのサムネイル表示を示す処理を音声付静止画像ファイルに施しても良い。この場合、交互に繰り返し表示を行っているサムネイル表示画像の２枚は、１枚は音声無し静止画像ファイルおよび音声付静止画像ファイルの標準のサムネイルで構成されたサムネイル表示画像であり、もう一枚は音声無し静止画像ファイルの標準のサムネイルと音声付静止画像ファイルのみ標準のサムネイルの代わりに中央を拡大した拡大サムネイルとで構成されるサムネイル表示画像となる。
【００５５】
また、前記実施例では、サムネイル表示する外部メモリカード４０に格納されたファイルとして静止画像ファイルおよび動画像ファイルについて説明をしたが、音声ファイルが混在していてもよく、ファイルの種類が限られるものではない。
【００５６】
また、前記実施例では、動画像ファイルのサムネイルから拡大サムネイルを生成しているが、サムネイルから縮小サムネイルを生成してもよい。
【００５７】
また、前記実施例では、サムネイルと拡大サムネイルの交互に繰り返し表示を行っているが、サムネイルと縮小したサムネイルの交互表示または、縮小したサムネイルと拡大サムネイルの交互表示でも良い。
【００５８】
また、前記実施例では、静止画像ファイルおよび動画像ファイルを外部メモリカード４０に格納しているが、内部メモリに格納しても良い。
【００５９】
さらに、前記実施例では、動画像ファイルとしてＭｏｔｉｏｎＪＰＥＧのファイルとして説明をしたが、これに限定されるものではなく、例えばＭＰＥＧファイルでも良い。この場合、動画像用のサムネイル画像はＩピクチャの１つが選択される。
【図面の簡単な説明】
【００６０】
【図１】本発明の一実施例である構成を示すブロック図である。
【図２】本発明の一実施例である外観を示す外観図である。
【図３】本発明の一実施例であるサムネイル表示画像の一例を示す図解図である。
【図４】（Ａ）は本発明の一実施例であるサムネイル表示画像の他の一例を示す図解図であり、（Ｂ）は本発明の一実施例であるサムネイル表示画像のさらに他の一例を示す図解図である。
【図５】（Ａ）は本発明の一実施例である図４（Ａ）に示す動画像ファイルのサムネイルの一例を示す図解図であり、（Ｂ）は本発明の一実施例である図４（Ｂ）に示す動画像ファイルのサムネイルを拡大したサムネイルの一例を示す図解図である。
【図６】本発明の図１実施例の動作の一例の一部を示すフロー図である。
【図７】本発明の図６の続きの一部を示すフロー図である。
【図８】本発明の一実施例である図１に示すＳＤＲＡＭ２４の一部を示すフレームバッファの一例を示す図解図である。
【符号の説明】
【００６１】
１０    …撮像装置
２４    …ＳＤＲＡＭ
２６    …ＣＰＵ
２６Ａ  …タイマ
２６Ｂ  …タイマ
３２    …操作部
３７    …電子ズーム処理部
３８    …カード制御部
４０    …外部カードメモリ
４２    …Ｄ／Ａ変換回路
４４    …ビデオエンコーダ
４６    …表示器
【図１】
2006287497.tif 000003
【図２】
2006287497.tif 000004
【図３】
2006287497.tif 000005
【図４】
2006287497.tif 000006
【図５】
2006287497.tif 000007
【図６】
2006287497.tif 000008
【図７】
2006287497.tif 000009
【図８】
2006287497.tif 000010